(57)【要約】【課題】  可搬ユニットが被装着台に装着されかつ、予め定められた要ロック条件を充足する場合、可搬ユニットの被装着台からの離脱を阻止することができる電子装置を提供する。【解決手段】  電子装置に、可搬ユニットの装置本体からの離脱を阻止可能なロック手段および予め定める要ロック条件を充足するか否かを判定することができる離脱制御手段を設ける。また離脱制御手段は、要ロック条件を充足すると判定すると、ロック手段を可搬ユニットの装置本体からの離脱を阻止するようにロック手段を制御するようにする。さらに電子装置にロック手段によって離脱が阻止されていることを検出する状態検出手段とを報知する報知手段とを設ける。状態検出手段がロック手段によって離脱が阻止されていることを検出すると、報知手段によって離脱が阻止されたことを報知することができるように報知手段を構成する。【選択図】      図１
2005039631.tif 000002
【特許請求の範囲】
【請求項１】
可搬ユニットと、可搬ユニットが着脱可能に装着される被装着台とを備える電子装置であって、
可搬ユニットおよび被装着台のいずれかに設けられ、被装着台に装着された可搬ユニットに対して、被装着台からの離脱を阻止可能なロック手段と、
可搬ユニットおよび被装着台のいずれかに設けられ、予め定める要ロック条件を充足するか否かを判定し、要ロック条件を充足するとき、可搬ユニットの被装着台からの離脱を阻止するようにロック手段を制御する離脱制御手段とを含むことを特徴とする電子装置。
【請求項２】
可搬ユニットが被装着台に装着された装着状態において、被装着台から可搬ユニットに電力を供給可能であり、可搬ユニットは、被装着台から離脱された離脱状態で充電池の電力によって駆動される電子装置であって、
可搬ユニットおよび被装着台のいずれかに設けられ、充電池の充電量を検出する充電量検出手段をさらに含み、
離脱制御手段は、検出された充電池の充電量が予め定める離脱阻止基準量未満であるとき、要ロック条件を充足すると判定することを特徴とする請求項１記載の電子装置。
【請求項３】
可搬ユニットは、被装着台から供給される電力を利用して充電池を充電する充電回路を含むことを特徴とする請求項２記載の電子装置。
【請求項４】
被装着台は、装置本体を含み、
可搬ユニットと装置本体とは、少なくとも可搬ユニットが装置本体に装着される装着状態において、相互に通信可能であることを特徴とする請求項１〜３のいずれかに記載の電子装置。
【請求項５】
離脱制御手段は、可搬ユニットと装置本体とが、相互に通信しているとき、要ロック条件を充足すると判定することを特徴とする請求項４記載の電子装置。
【請求項６】
可搬ユニットおよび装置本体は、可搬ユニットが装置本体に装着された装着状態において、有線通信および無線通信のいずれか一方によって通信可能であり、可搬ユニットが装置本体から離脱された離脱状態において、通信が停止されることを特徴とする請求項４または５記載の電子装置。
【請求項７】
可搬ユニットおよび装置本体は、可搬ユニットが装置本体に装着された装着状態において、有線通信および無線通信のいずれか一方によって通信可能であり、可搬ユニットが装置本体から離脱された離脱状態において、無線通信によって通信可能であることを特徴とする請求項４または５記載の電子装置。
【請求項８】
可搬ユニットは、被装着台から供給される電力を利用して充電池を充電する充電回路を含み、
被装着台は、可搬ユニットの充電池を充電するための充電台を含むことを特徴とする請求項１〜７のいずれかに記載の電子装置。
【請求項９】
ロック手段は、装置本体に装着された可搬ユニットに対して、装置本体からの離脱を阻止する阻止状態と、装置本体からの離脱を許容する許容状態とに切換可能であり、
離脱制御手段は、要ロック条件を充足するとき、ロック手段を阻止状態にし、ロック手段が阻止状態にある場合において予め定めるロック解除条件を充足するとき、ロック手段を許容状態にするように、ロック手段を制御することを特徴とする請求項１〜８記載の電子装置。
【請求項１０】
離脱制御手段は、要ロック条件およびロック解除条件の両方を充足するとき、ロック手段を許容状態にするように、ロック手段を制御することを特徴とする請求項９記載の電子装置。
【請求項１１】
可搬ユニットおよび被装着台のいずれかに設けられ、充電池の充電量を検出する充電量検出手段をさらに含み、
離脱制御手段は、検出された充電池の充電量が予め定める離脱阻止基準量未満であるとき、要ロック条件を充足すると判定し、検出された充電池の充電量が前記離脱阻止基準量以上の離脱許容基準量以上であるとき、ロック解除条件を充足すると判定し、要ロック条件を充足するとき、ロック手段を阻止状態にし、ロック解除条件を充足するとき、ロック手段を許容状態にするように、ロック手段を制御することを特徴とする請求項９または１０記載の電子装置。
【請求項１２】
利用者の操作によって解除指令が入力される入力手段をさらに含み、
離脱制御手段は、解除指令が入力されたとき、ロック解除条件を充足すると判定することを特徴とする請求項９〜１１のいずれかに記載の電子装置。
【請求項１３】
被装着台から可搬ユニットへの電力の供給状態を検出する供給状態検出手段をさらに含み、
離脱制御手段は、供給状態検出手段によって可搬ユニットへの電力供給が停止されたことが検出されたとき、ロック解除条件を充足すると判定することを特徴とする請求項９〜１２のいずれかに記載の電子装置。
【請求項１４】
可搬ユニットおよび被装着台のいずれかに設けられ、ロック手段の状態を検出する状態検出手段と、
可搬ユニットおよび被装着台のいずれかに設けられ、状態検出手段によって検出されるロック手段の状態を報知する報知手段とをさらに含むことを特徴とする請求項１〜１３のいずれかに記載の電子装置。
【請求項１５】
ロック手段は、装置本体に装着された可搬ユニットに対して、装置本体からの離脱を阻止する阻止状態と、装置本体からの離脱を許容する許容状態とに切換可能であり、
報知手段は、状態検出手段による検出結果に基づいて、ロック手段が許容状態から阻止状態に切換ったとき、ロック手段が阻止状態に切換ったことを報知することを特徴とする請求項１４記載の電子装置。
【請求項１６】
ロック手段は、装置本体に装着された可搬ユニットに対して、装置本体からの離脱を阻止する阻止状態と、装置本体からの離脱を許容する許容状態とに切換可能であり、
報知手段は、状態検出手段による検出結果に基づいて、ロック手段が阻止状態から許容状態に切換ったとき、ロック手段が許容状態に切換ったことを報知することを特徴とする請求項１４または１５記載の電子装置。
【発明の詳細な説明】
【技術分野】
【０００１】
本発明は、可搬ユニットと、可搬ユニットが着脱可能に装着される被装着台を
備える電子装置に関する。
【背景技術】
【０００２】
従来技術のファクシミリ装置では、ファクシミリ装置本体に対して、着脱可能なリモート表示装置が備えられる。リモート表示装置は、ファクシミリ装置本体からの情報を受信し、受信した情報を画面に表示する。またリモート表示装置は、充電池を有し、ファクシミリから離脱された状態では、充電池の電力によって駆動し、ファクシミリ装置本体からの情報を受信することができる。充電池は、リモート表示装置をファクシミリ装置本体に装着することによって充電される（たとえば特許文献１参照）。
【０００３】
さらに他の従来技術の自動情報受信システムでは、表示部は、受信機本体に対して着脱可能であり、受信機本体は、ノーリンギング回線を介して各種情報を取得する。前記情報は、表示部が受信機本体に装着されると、表示部に転送される（たとえば特許文献２参照）。
【０００４】
さらに他の従来技術の表示部着脱式電話機では、表示部は、電話機本体から着脱可能に設けられている。表示部は、入力手段によって情報を入力することができる。入力情報は、表示部を電話機本体に装着すると、表示部と電話機本体とは、相互に通信することができる。また表示部は、電話機本体から離脱されると、電池の電力によって駆動する（たとえば特許文献３参照）。
【０００５】
他の従来技術の電子機器では、電子機器本体と、電子機器本体に対して着脱可能な操作表示部とがボルトを用いて固定されている（たとえば特許文献４参照）。
【０００６】
さらに他の従来技術の電源制御装置では、電池を充電装置を用いることによって充電することができる。電池の充電量が所定量未満であるか否かを検出し、電池の充電量が所定量未満である場合、電池の充電量が所定量以上に充電されたと検出されるまで電池からの電源供給を遮断するように各手段を制御する（たとえば特許文献５参照）。
【０００７】
さらに他の従来技術の移動無線通信装置では、バッテリに残っている電力によって機器が駆動可能な駆動時間を検出し、検出される前記駆動時間が所定時間未満になった場合、自動的に節電モードに変更する（たとえば特許文献６参照）。
【０００８】
【特許文献１】特開平１０−３２７２７４号公報
【特許文献２】特開平２−１４６６２号公報
【特許文献３】特開平６−３１８９７１号公報
【特許文献４】特開昭６２−７６６９８号公報
【特許文献５】特開平３−２８２９１６号公報
【特許文献６】特開平６−９７８７７号公報
【発明の開示】
【発明が解決しようとする課題】
【０００９】
特許文献１〜３に示される各従来技術では、装置本体に対して着脱可能な表示部が装置本体から情報を受信する間に、不注意などによって装置本体から表示部が離脱すると、通信が途中で切断してしまい、前記情報が損傷する場合がある。また充電池が表示部の駆動が可能な量の充電がされていない状態で、表示部を装置本体から離脱させると、表示部は、充電量不足によって駆動が停止することを報知する余地もなく駆動が停止する。また駆動の停止にともなって、表示部において取得した情報などが損傷する場合がある。
【００１０】
特許文献４に示される従来技術の電子機器では、電子機器本体に対して操作表示部が離脱することを阻止するために電子機器本体を操作表示部とを固定するので、使用者自身が操作表示部を自由に取りはずすことができず、利便性が低い。
【００１１】
特許文献５および６に示される従来技術では、電池の充電量が所定量以上の充電量に充電されるまで、電池から各手段への電力供給を遮断することおよび駆動することができる時間が所定時間未満になった場合、自動的に節電モードに変更し電力の消費量を少なくすることができるけれども、電池に充分な充電量がない状態において充電装置から取りはずされることによって生じる急な駆動停止および駆動停止にともなうデータ損失を防ぐことができる。
【００１２】
したがって本発明の目的は、可搬ユニットが被装着台に装着されかつ予め定られた要ロック条件を充足する場合、可搬ユニットの被装置台からの離脱を阻止することができる電子装置を提供することである。
【課題を解決するための手段】
【００１３】
本発明は、可搬ユニットと、可搬ユニットが着脱可能に装着される被装着台とを備える電子装置であって、
可搬ユニットおよび被装着台のいずれかに設けられ、被装着台に装着された可搬ユニットに対して、被装着台からの離脱を阻止可能なロック手段と、
可搬ユニットおよび被装着台のいずれかに設けられ、予め定める要ロック条件を充足するか否かを判定し、要ロック条件を充足するとき、可搬ユニットの被装着台からの離脱を阻止するようにロック手段を制御する離脱制御手段とを含むことを特徴とする電子装置である。
【００１４】
本発明に従えば、電子装置は、可搬ユニットおよび被装着台を含み、可搬ユニットは、被装着台に着脱可能に装着することができるので、可搬ユニットが広範囲の状況下で利用することができる利便性の高い電子装置を実現することができる。また電子装置は、被装着台に装着された可搬ユニットを、被装着台から離脱できないようにすることができるロック手段を有する。さらに電子装置は、予め定める要ロック条件を充足するか否かを判定することができ、要ロック条件を充足するとき、可搬ユニットの被装着台からの離脱を阻止するようにロック手段を制御することができる離脱制御手段を有する。
【００１５】
これによって電子装置は、離脱制御手段が予め定める要ロック条件を充足すると判定すると、ロック手段によって可搬ユニットの被装着台からの離脱を阻止することができる。したがって要ロック条件を充足する状態では、不注意などによって可搬ユニットが離脱することを防ぐことができる。
【００１６】
また本発明は、可搬ユニットが被装着台に装着された装着状態において、被装着台から可搬ユニットに電力を供給可能であり、可搬ユニットは、被装着台から離脱された離脱状態で充電池の電力によって駆動される電子装置であって、
可搬ユニットおよび被装着台のいずれかに設けられ、充電池の充電量を検出する充電量検出手段をさらに含み、
離脱制御手段は、検出された充電池の充電量が予め定める離脱阻止基準量未満であるとき、要ロック条件を充足すると判定することを特徴とする。
【００１７】
本発明に従えば、可搬ユニットは、装着状態で被装着台から電力が供給され、離脱状態で充電池の電力によって駆動することができるので、広範囲の状況下で駆動することができる。また電子装置は、充電池の充電量を検出する充電量検出手段を含み、充電池の充電量を検出することができる。さらに前述の検出された充電量が予め定める離脱阻止基準未満であるとき、離脱制御手段によって要ロック条件を充足すると判定することができる。これによって電子装置は、検出された充電量が離脱阻止基準量未満であるとき、可搬ユニットが被装着台から離脱できないようにロック手段を制御し、可搬ユニットの被装着台からの離脱を阻止することができる。
【００１８】
また本発明は、可搬ユニットは、被装着台から供給される電力を利用して充電池を充電する充電回路を含むことを特徴とする。
【００１９】
本発明に従えば、可搬ユニットは、被装着台から供給される電力を利用して充電池を充電することができる充電回路を有する。可搬ユニットを被装着台に装着すると、充電池は、被装着台から供給される電力によって充電される。このようにして可搬ユニットを被装着台に装着することによって充電池を充電することができる利便性の高い電子装置を実現することができる。
【００２０】
また本発明は、被装着台は、装置本体を含み、
可搬ユニットと装置本体とは、少なくとも可搬ユニットが装置本体に装着される装着状態において、相互に通信可能であることを特徴とする。
【００２１】
本発明に従えば、被装着台は、装置本体を含み、少なくとも可搬ユニットが装置本体に装着される装着状態において、可搬ユニットと装置本体とは、相互に通信することができる。これによって可搬ユニットと装置本体とが相互に通信可能な利便性の高い電子装置を実現することができる。これによってたとえば、可搬ユニットが情報を取得することができる場合、可搬ユニットが取得した情報を装置本体に伝送することができる。
【００２２】
また本発明は、離脱制御手段は、可搬ユニットと装置本体とが、相互に通信しているとき、要ロック条件を充足すると判定することを特徴とする。
【００２３】
本発明に従えば、電子装置は、可搬ユニットと装置本体とが相互に通信しているとき、離脱制御手段によって要ロック条件を充足すると判定する。これによって可搬ユニットと装置本体とが相互に通信しているとき、離脱制御手段によって可搬ユニットが装置本体から離脱しないようにロック手段を制御し、可搬ユニットの装置本体からの離脱を阻止することができる。
【００２４】
また本発明は、可搬ユニットおよび装置本体は、可搬ユニットが装置本体に装着された装着状態において、有線通信および無線通信のいずれか一方によって通信可能であり、可搬ユニットが装置本体から離脱された離脱状態において、通信が停止されることを特徴とする。
【００２５】
本発明に従えば、電子装置は、装着状態において、可搬ユニットと装置本体と
が、有線通信および無線通信のいずれか一方によって通信可能である。また電子装置は、可搬ユニットが装置本体から離脱された離脱状態において、可搬ユニットと装置本体との通信を停止する。離脱状態では、可搬ユニットと装置本体との通信が停止するので、離脱状態で無線通信することによって情報が漏洩するなどの不具合を防ぐことができる。
【００２６】
また本発明は、可搬ユニットおよび装置本体は、可搬ユニットが装置本体に装着された装着状態において、有線通信および無線通信のいずれか一方によって通信可能であり、可搬ユニットが装置本体から離脱された離脱状態において、無線通信によって通信可能であることを特徴とする。
【００２７】
本発明に従えば、電子装置は、装着状態において、可搬ユニットと装置本体とが有線通信および無線通信のいずれか一方によって通信可能である。また電子装置は、可搬ユニットが装置本体から離脱された離脱状態において、可搬ユニットと装置本体とが無線通信によって通信可能である。これによって可搬ユニットは、広範囲の状況下で通信することができ、利便性の高い電子装置を実現することができる。
【００２８】
また本発明は、可搬ユニットは、被装着台から供給される電力を利用して充電池を充電する充電回路を含み、
被装着台は、可搬ユニットの充電池を充電するための充電台を含むことを特徴とする。
【００２９】
本発明に従えば、電子装置において、可搬ユニットは、被装着台から供給される電力を利用して充電池を充電することができる充電回路を有する。また被装着台は、充電池を充電するための充電台を有する。これによって充電台に可搬ユニットを装着することによって、可搬ユニットの充電池を充電することができる。
【００３０】
また本発明は、ロック手段は、装置本体に装着された可搬ユニットに対して、装置本体からの離脱を阻止する阻止状態と、装置本体からの離脱を許容する許容状態とに切換可能であり、
離脱制御手段は、要ロック条件を充足するとき、ロック手段を阻止状態にし、ロック手段が阻止状態にある場合において予め定めるロック解除条件を充足するとき、ロック手段を許容状態にするように、ロック手段を制御することを特徴とする。
【００３１】
本発明に従えば、電子装置は、装置本体に装着された可搬ユニットに対して、
ロック手段を、装置本体からの離脱を阻止する阻止状態と装置本体からの離脱を許容する許容状態とを切換えることができるので、阻止状態であっても許容状態に切換え、可搬ユニットを離脱させることができ、また許容状態であっても阻止状態に切換えることによって可搬ユニットの離脱を阻止することができる。また離脱制御手段は、要ロック条件を充足すると判定すると、ロック手段を阻止状態にし、ロック手段が阻止状態にある場合、予め定めるロック解除条件を充足すると判定すると、ロック手段を許容状態にするように制御することができる。これによって電子装置は、ロック手段が阻止状態であっても、ロック解除条件を充足すると判定すると、ロック手段を許容状態に制御し、可搬ユニットの装置本体からの離脱を可能にする。
【００３２】
また本発明は、離脱制御手段は、要ロック条件およびロック解除条件の両方を充足するとき、ロック手段を許容状態にするように、ロック手段を制御することを特徴とする。
【００３３】
本発明に従えば、離脱制御手段は、要ロック条件およびロック解除条件を両方充足するとき、ロック手段を許容状態にするように、ロック手段を制御するので、ロック手段が阻止状態であっても、ロック解除手段を充足する判定すると、ロック手段を許容状態にするように制御する。これによって電子装置は、ロック手段が阻止状態であってもロック解除条件を充足することによって可搬ユニットの装置本体からの離脱を可能にする。
【００３４】
また本発明は、可搬ユニットおよび被装着台のいずれかに設けられ、充電池の充電量を検出する充電量検出手段をさらに含み、
離脱制御手段は、検出された充電池の充電量が予め定める離脱阻止基準量未満であるとき、要ロック条件を充足すると判定し、検出された充電池の充電量が前記離脱阻止基準量以上の離脱許容基準量以上であるとき、ロック解除条件を充足すると判定し、要ロック条件を充足するとき、ロック手段を阻止状態にし、ロック解除条件を充足するとき、ロック手段を許容状態にするように、ロック手段を制御することを特徴とする。
【００３５】
本発明に従えば、電子装置は、充電池の充電量を検出する充電量検出手段によって、充電池の充電量を検出することができる。また検出された充電量が離脱阻止基準未満であるとき、離脱制御装置によって要ロック条件を充足すると判定し、ロック手段を阻止状態にするように制御することができる。また検出された充電量が離脱許容量以上であるとき、離脱制御装置によってロック解除条件を充足すると判定し、ロック手段を許容状態にするように制御することができる。これによって充電池の充電量が離脱阻止基準未満であるとき、可搬ユニットの装置本体からの離脱を阻止する。また充電池の充電量が離脱許容基準量以上であるとき、可搬ユニットの装置本体の離脱を可能にする。たとえば、可搬ユニットが装置本体から離脱して、少なくとも報知動作をし、利用者が駆動停止の操作をすることができる時間において駆動可能な電力を供給することができる充電池の充電量を離脱阻止基準量とすると、可搬ユニットが情報を記録することができる装置である場合、離脱して可搬ユニットの駆動が急に停止して、記録されている情報を損失および損傷するなどの不具合を防ぐことができる。
【００３６】
また本発明は、利用者の操作によって解除指令が入力される入力手段をさらに含み、
離脱制御手段は、解除指令が入力されたとき、ロック解除条件を充足すると判定することを特徴とする。
【００３７】
本発明に従えば、電子装置は、利用者の操作によって解除指令を入力することができる入力手段を含む。また離脱制御手段は、解除指令が入力されたとき、ロック解除条件を充足すると判定する。これによって可搬ユニットが装置本体から離脱阻止されている場合に解除指令が入力することによって、ロック手段を許容状態に制御し、可搬ユニットの装置本体からの離脱を可能にする。
【００３８】
また本発明は、被装着台から可搬ユニットへの電力の供給状態を検出する供給状態検出手段をさらに含み、
離脱制御手段は、供給状態検出手段によって可搬ユニットへの電力供給が停止されたことが検出されたとき、ロック解除条件を充足すると判定することを特徴とする。
【００３９】
本発明に従えば、電子装置は、被装着台から可搬ユニットへの電力の供給状態を検出する供給状態検出手段を有するので、被装着台から可搬ユニットへの電力の供給状態を検出することができる。また電子装置は、供給状態検出手段が、可搬ユニットへの電力供給が停止したことを検出すると、離脱制御手段によってロック解除条件を充足すると判定する。これによって、可搬ユニットへの電力供給が停止された状態、たとえば、停電によって電力が供給されない場合には、ロック手段を許容状態に制御し、可搬ユニットを被装着台から離脱可能にすることができる。
【００４０】
また本発明は、可搬ユニットおよび被装着台のいずれかに設けられ、ロック手段の状態を検出する状態検出手段と、
可搬ユニットおよび被装着台のいずれかに設けられ、状態検出手段によって検出されるロック手段の状態を報知する報知手段とをさらに含むことを特徴とする。
【００４１】
本発明に従えば、状態検出手段によって、ロック手段の状態を検出することができる。また状態検出手段によって検出されるロック手段の状態を、報知手段によって利用者に報知することができる。これによって利用者がロック手段の状態を容易に判断することができ、利便性の高い電子装置を実現することができる。
【００４２】
また本発明は、ロック手段は、装置本体に装着された可搬ユニットに対して、装置本体からの離脱を阻止する阻止状態と、装置本体からの離脱を許容する許容状態とに切換可能であり、
報知手段は、状態検出手段による検出結果に基づいて、ロック手段が許容状態から阻止状態に切換ったとき、ロック手段が阻止状態に切換ったことを報知することを特徴とする。
【００４３】
本発明に従えば、電子装置は、装置本体に装着される可搬ユニットに対して、ロック手段を装置本体からの離脱を阻止する阻止状態と装置本体からの離脱を許容する許容状態とに切換えることができるので、阻止状態であっても許容状態に切換えることによって可搬ユニットを離脱させることができ、許容状態であっても阻止状態に切換えることによって可搬ユニットの離脱を阻止することができる。また報知手段は、ロック手段が許容状態から阻止状態に切換ったとき、ロック手段が阻止状態に切換ったことを報知することができる。これによって利用者が、可搬ユニットの離脱が可能な許容状態から可搬ユニットの離脱が阻止される阻止状態に切換ったことを、容易に認識することができる。
【００４４】
また本発明は、ロック手段は、装置本体に装着された可搬ユニットに対して、装置本体からの離脱を阻止する阻止状態と、装置本体からの離脱を許容する許容状態とに切換可能であり、
報知手段は、状態検出手段による検出結果に基づいて、ロック手段が阻止状態から許容状態に切換ったとき、ロック手段が許容状態に切換ったことを報知することを特徴とする。
【００４５】
本発明に従えば、装置本体に装着される可搬ユニットに対して、ロック手段を装置本体からの離脱を阻止する阻止状態と装置本体からの離脱を許容する許容状態とを切換えることができるので、阻止状態であっても許容状態に切換えることによって可搬ユニットを離脱させることができ、許容状態であっても阻止状態に切換えることによって可搬ユニットの離脱を阻止することができる。また報知手段は、ロック手段が阻止状態から許容状態に切換ったとき、ロック手段が許容状態に切換ったことを報知することができる。これによって利用者が、可搬ユニットの離脱が阻止される阻止状態から可搬ユニットの離脱が可能な許容状態に切換ったことを、利用者に容易に認識することができる。
【発明の効果】
【００４６】
以上のように本発明によれば、電子装置は、離脱制御手段が予め定められる要ロック条件を充足すると判定すると、ロック手段を制御して、可搬ユニットが被装着台から離脱することを阻止することができる。したがって要ロック条件を充足することによって、電子装置は、被装着台から可搬ユニットが不用意に離脱することを防ぐことができる。
【００４７】
また本発明によれば、電子装置は、充電池の充電量を検出し、検出された充電量が離脱阻止基準量未満であると、要ロック条件を充足すると判定し、ロック手段によって可搬ユニットの被装着台からの離脱を阻止することができる。充電池の充電量が予め定められた充電量よりも少ない状態で、被装着台から可搬ユニットが離脱することを防ぐことができる。したがって可搬ユニットが装置本体から離脱後すぐに駆動を停止しない電力が供給可能な充電量を離脱阻止基準量とすると、充電池の充電量不足によって可搬ユニットの駆動が被装着台からの離脱後すぐに停止することを防ぐことができるので、可搬ユニットが情報を記録することが可能な機器である場合、可搬ユニットの駆動が急に停止することによって可搬ユニットに記録されている情報が損傷および損失することが防ぐことができる利便性の高い電子装置を実現することができる。
【００４８】
また本発明によれば、電子装置は、可搬ユニットを被装着台に装着した状態において、被装着台から可搬ユニットに供給される電力を、充電回路を用いて充電池に送電し、充電池を充電することができる。これによって被装着台が電力を取得することができる場合、電子装置は、可搬ユニットを被装着台に装着する事によって充電池を充電することができる。
【００４９】
また本発明によれば、電子装置は、可搬ユニットが装置本体に装着される装着状態において、可搬ユニットと装置本体とが相互に通信することができる。これによって可搬ユニットを装置本体に装着すると、可搬ユニットは、装置本体が有する情報を通信することによって取得することができ、装置本体は、可搬ユニットが有する情報を通信によって取得することができる。
【００５０】
また本発明によれば、電子装置は、装着状態において可搬ユニットと装置本体とが、相互に通信しているとき、要ロック条件を充足すると判定し、ロック手段によって可搬ユニットの装置本体からの離脱を阻止する。これによって電子装置は、有線通信によって可搬ユニットと装置本体とが相互に通信している間に、可搬ユニットが装置本体から離脱して、有線通信が途切れることを防ぐことができる。また電子装置は、有線通信が途切れることを防止することができるので、通信が途切れることによって通信中の情報が、損傷および損失するようなことを防ぐことができる。
【００５１】
また本発明によれば、電子装置は、装着状態で、可搬ユニットが記録する情報を装置本体に伝送することができ、装置本体が記録する情報を可搬ユニットに伝送することができる。これによって可搬ユニットと装置本体とは、それぞれに記録される情報を共有することができる。電子装置は、有線通信および無線通信のいずれか一方で通信可能であり、有線通信で通信する場合、途中で通信が途切れることなく正確に情報を伝送することができ、無線通信で通信する場合、装置本体における可搬ユニットの装着位置の制限が少なくなる。また電子装置は、離脱状態で通信が停止するので、無線通信による情報の漏洩を防ぐことおよび可搬ユニットの電力の消費量を削減することができる。
【００５２】
また本発明によれば、電子装置は、可搬ユニットが記録する情報を装置本体に伝送することができ、装置本体が記録する情報を可搬ユニットに伝送することができる。これによって可搬ユニットと装置本体とは、それぞれに記録される情報を共有することができる。電子装置は、装着状態において有線通信および無線通信のいずれか一方で通信可能であり、有線通信によって通信する場合、途中で通信が途切れることなく正確に情報を伝送することができ、無線通信によって通信する場合、装置本体における可搬ユニットの装着位置の制限が少なくなる。また電子装置は、離脱状態において無線通信によって可搬ユニットと装置本体とが相互に通信することができるので、可搬ユニットが広範囲状況下で装置本体と通信可能な利便性の高い電子装置を実現することができる。
【００５３】
また本発明によれば、被装着台が電力を取得し、可搬ユニットを被装着台に装着することによって、可搬ユニットと充電台とを用いて充電池を充電することができる。これによって充電池を容易に充電することができる電子装置を実現できる。
【００５４】
また本発明によれば、電子装置は、要ロック条件を充足すると判定すると、ロック手段を阻止状態にし、可搬ユニットの装置本体からの離脱を阻止する。また電子装置は、可搬ユニットの離脱が阻止される場合においてロック解除条件を充足すると判定すると、ロック手段を許容状態にし、可搬ユニットの装置本体からの離脱を可能にする。これによって利用者は、要ロック条件およびロック解除条件を予め定めることによって、ロック手段の阻止状態および許容状態のうちいずれかの状態に制御することができる。
【００５５】
また本発明によれば、電子装置は、要ロック条件を充足すると判定する場合であっても、ロック解除条件を充足すると判定することによってロック手段を許容状態にし、可搬ユニットの装置本体からの離脱を可能にする。したがって利用者は、ロック手段が阻止状態であっても、ロック解除条件を充足させることによって利用者の利用状況に応じて可搬ユニットを離脱させることができる。
【００５６】
また本発明によれば、電子装置は、充電池の充電量が予め定められる離脱阻止基準量未満であれば、ロック手段を阻止状態にし、充電池の充電量が予め定められる離脱許容基準量以上であれば、ロック手段を許容状態にする。これによって利用者は、充電池の充電量が離脱阻止基準量未満および離脱許容基準量以上のいずれであるかを、ロック手段の状態によって知ることができる。
【００５７】
またたとえば、離脱阻止基準量を可搬ユニットが装置本体から離脱後すぐに駆動が停止しないような充電量と予め定めると、可搬ユニットの装置本体からの離脱直後に可搬ユニットに駆動が停止することを防止することができ、離脱直後の駆動が停止することにともなって可搬ユニットに記録される情報が損傷することを防止できる。また充電池の充電量が予め定められる離脱許容基準量以上になると、ロック手段が許容状態となるので、可搬ユニットが装置本体から離脱可能な状態で充電量が離脱許容基準以上であることを利用者に容易に判断させることができる。
【００５８】
また本発明によれば、電子装置は、入力手段の操作によって解除指令が入力されると、ロック解除条件を充足すると判定し、ロック手段を許容状態に制御する。これによって電子装置は、ロック手段が阻止状態であっても、入力手段を操作することによってロック手段を許容状態に制御し、可搬ユニットの装置本体からの離脱を可能にする。したがって利用者は、入力手段を操作することによってロック手段を阻止状態から許容状態に切換えて、可搬ユニットを装置本体から離脱させることができる。
【００５９】
また本発明によれば、電子装置は、被装着台から可搬ユニットへの電力供給が停止された場合、ロック解除条件を充足すると判定し、ロック手段を許容状態にし、可搬ユニットの装置本体からの離脱を可能にする。これによってたとえば、停電またはＡＣアダプタの接続が解除されるなどして電子装置に電力が供給されない場合、可搬ユニットを、装置本体から離脱させることができる。また充電池が可搬ユニットに電力を供給可能な状態であれば、離脱された後も可搬ユニットは駆動することができる。
【００６０】
また本発明によれば、電子装置は、状態検出手段によってロック手段の状態を検出し、検出した状態を報知手段によって報知することができる。これによって利用者は、ロック手段が阻止状態および許容状態のいずれかの状態であるのかを容易に判断することができるので、阻止状態において装置本体から可搬ユニットを無理に離脱させるなどしてロック手段が破損することを防ぐことができる。
【００６１】
また本発明によれば、電子装置は、ロック手段が許容状態から阻止状態に切換ったことを利用者に報知することができる。これによってロック手段が許容状態から阻止状態に切換ったことを利用者に容易に判断させることができる電子装置を実現することができる。
【００６２】
また本発明によれば、電子装置は、ロック手段が阻止状態から許容状態に切換ったことを利用者に報知することができる。これによってロック手段が阻止状態から許容状態に切換ったことを利用者に容易に判断させることができる電子装置を実現することができる。
【発明を実施するための最良の形態】
【００６３】
図１は、本発明の実施の一形態のファクシミリ装置１０の主要な構成を示すブロック図である。図２は、ファクシミリ装置１０の具体的な形態を示す斜視図である。ファクシミリ装置１０は、公衆回線網１１に接続され、公衆回線網１１を介して他の電話装置と音声情報の通信を行う電話機能と、原稿に記録される画像の画像データの送信および他のファクシミリ装置から受信した画像データを記録紙に記録するファクシミリ機能とを備える電子装置である。ファクシミリ装置１０は、装置本体２０と、前記装置本体２０に着脱可能な可搬ユニットである表示操作ユニット３０とを備える。
【００６４】
装置本体２０は、本体制御部２１、本体記憶部２２、網制御部２３、モデム２４、送受話機２５、コードレス通信制御部２６、本体接続部２７、本体無線通信部２８、着脱制御部４１、ロック手段４２、画像読取装置５２、画像記憶装置５３および印刷装置５１を含んで構成される。また装置本体２０は、交流アダプタ（以下「ＡＣアダプタ」という場合がある）（図示せず）が接続され、ＡＣアダプタを介して電力を取得する。
【００６５】
本体制御部２１は、本体記憶部２２、モデム２４、コードレス通信制御部２６、本体接続部２７、本体無線通信部２８、着脱制御部４１、印刷装置５１、画像読取装置５２、画像記憶装置５３に接続される。本体制御部２１は、たとえば中央演算処理装置（Central 
Processing Unit；略称：ＣＰＵ）などの演算処理装置で実現され、本体記憶部２２に記憶されているプログラムを実行することで、装置本体２０の各種構成部を統括的に制御する。また本体制御部２１は、ファクシミリ機能において、画像データの送信時間を短縮するための圧縮と、圧縮された画像データを元のピクセル列情報に戻す伸長とを行う。さらに本体制御部２１は、本体記憶部２２に記憶される各種情報などをファクシミリ装置１０の各種構成部に伝送することができ、また前記構成部から情報を取得することができる。
【００６６】
本体記憶部２２は、本体制御部２１に電気的に接続される。本体記憶部２２は、たとえばランダムアクセスメモリ（Random Access Memory；略称：ＲＡＭ）などの揮発性メモリ、リードオンリメモリ（Read Only Memory：ＲＯＭ）などの不揮発性メモリ、およびハードディスクドライブ（Hard Disc Drive；略称：ＨＤＤ）などの磁気記憶装置で実現され、本体制御部２１が装置本体２０の各種構成部を統括的に制御するためのプログラムを記憶し、本体制御部２１が装置本体２０の各種構成部を制御するときの制御命令を一時的に記憶し、受信した各種情報および各種要求を記憶する。
【００６７】
網制御部２３は、モデム２４、送受話機２５、コードレス通信制御部２６に接続される。網制御部２３は、公衆回線網１１と通信可能に接続され、公衆回線網１１の状況を監視するとともに、モデム２４、送受話機２５およびコードレス通信制御部２６の公衆回線網１１からの通信に対する接続先を切換えるように制御する。
【００６８】
モデム２４は、本体制御部２１および網制御部２３に接続される。モデム２４は、本体制御部２１を介して入力されるデジタル信号を公衆回線網１１に適したアナログ信号に変換して網制御部２３に出力するとともに、網制御部２３を介して入力される、公衆回線網１１を介して接続される他の通信装置からのアナログ信号を、本体制御部２１が処理を行うのに適したデジタル信号に復調する。
【００６９】
送受話機２５は、電話機能において用いられ、スピーカおよびマイクロホン（図示せず）で実現される受話器および送話器を備え、図２に示すようなカールコード２５ａを介して網制御部２３に通信可能に接続される。カールコード２５ａは、送受話機２５と網制御部２３とを通信可能に接続する伝送路である。
【００７０】
コードレス通信制御部２６は、本体制御部２１、網制御部２３およびアンテナ２６ａに接続される。コードレス通信制御部２６は、アンテナ２６ａを介して、１台または複数台のコードレス子機６０（図１および図２では１台だけ示している）装置本体２０との無線通信の制御を行う。前記コードレス通信制御部２６は、コードレス子機６０との無線通信のため通信路の探索、無線通信の確立、通話および電波発信受信のためのチューナ等を備える。本体接続部２７は、本体制御部２１に電気的に接続される。
本体接続部２７は、本体制御部２１に電気的に接続される。
【００７１】
また本体接続部２７は、表示操作ユニット３０が装置本体２０に装着されている状態で、後述する表示操作ユニット３０のユニット接続部３５に通信可能に接続され、ユニット接続部３３と協働して表示操作ユニット３０と装置本体２０との有線通信を可能にする手段を含む。また本体接続部２７は、前記ＡＣアダプタに電気的に接続され、ＡＣアダプタを介して電力を取得することができる。本体接続部２７は、表示操作ユニット３０が装置本体２０に装着されている状態で、前記ユニット接続部３５を介して、後述する表示操作ユニット３０に含まれるバッテリ保持部３６に取得する電力を送電することができる。
【００７２】
本体無線通信部２８は、本体制御部２１に接続される。本体無線通信部２８は、本体接続部２７とユニット接続部３３とが非通信状態にある場合に、後述するユニット無線通信部３４と協働して表示操作ユニット３０と装置本体２０との無線通信を可能にする手段を含む。これによって本体無線通信部２８は、表示操作ユニット３０が装置本体２０から離脱される場合であっても、ユニット無線通信部３４と協働して無線通信することができ、装置本体２０から離れた場所でも通信可能となり、広範囲な状況下で装置本体２０と表示操作ユニット３０との通信が可能となる。また表示操作ユニット３０が装置本体２０から離脱される状態で、本体無線通信部２８とユニット無線通信部３４との通信を停止するようにしてもよい。この場合、表示操作ユニット３０の装置本体２０からの離脱を検出する離脱検出手段（図示せず）を設け、前記離脱検出手段によって検出される情報を本体制御手段２１に送信し、本体無線通信部２８の通信を停止するように制御する。
【００７３】
着脱制御部４１は、本体制御部２１およびロック手段４２に接続される。着脱制御部４１は、取得する情報が要ロック条件およびロック解除条件を充足するかを判定し、その判定に基づきロック手段４２の状態を制御する離脱制御手段およびロック手段４２の状態を検出する状態検出手段を有する。要ロック条件およびロック解除条件は、予め設定することができる条件であり、要ロック条件は、表示操作ユニット３０の装置本体２０からの離脱を阻止させるための条件であり、ロック解除条件は、表示操作ユニット３０の装置本体２０からの離脱を可能にするための条件である。
【００７４】
ロック手段４２は、阻止状態および許容状態のいずれか一方の状態に切換可能である。ロック手段４２は、阻止状態において、表示操作ユニット３０の装置本体２０からの離脱を阻止し、許容状態において、表示操作ユニット３０の装置本体２０からの離脱を可能にする。
【００７５】
着脱制御部４１は、本体制御部２１から与えられる情報が要ロック条件を充足するか否かを判定する。要ロック条件を充足すると判定すると、着脱制御部４１は、ロック手段４２を阻止状態に制御する。本体制御部２１から与えられる情報がロック解除条件を充足すると判定すると、着脱制御部４１は、ロック手段４２を許容状態に制御する。また着脱制御部４１は、本体制御部２１から与えられる情報が要ロック条件およびロック解除条件を充足するか否かを判定することによって、ロック手段４２が阻止状態および許容状態のうちいずれの状態であるかを検出することができる。
【００７６】
画像読取装置５２は、本体制御部２１、画像記憶装置５３および印刷装置５１に接続される。画像読取装置５２は、たとえばレンズと電子結合素子（Charge-Coupled Devise；略称：ＣＣＤ）ラインセンサとの組合せによる縮小読取り方式、およびロッドレンズアレーとホトダイオードとを用いた密着センサー方式などによって実現され、送信および複写したい原稿に形成される画像を読取って画像データを画像記憶装置５３に記憶させる。画像読取装置５２は、装置本体２０に着脱可能であり、有線通信および無線通信のいずれか一方で本体制御部２１などと通信する。
【００７７】
画像読取装置５３は、本体制御部２１、画像読取装置５２および印刷装置５１に接続されている。画像記憶装置５３は、たとえば、ＲＡＭなどの揮発性メモリ、ＲＯＭなどの不揮発性メモリおよびＨＤＤなどの磁気記憶装置で実現される。画像記憶装置５３は、画像読取装置５２によって読取られる画像データおよび公衆回線網１１を介して受信される画像データを記憶する。画像記憶装置を設けることによって、多くの複雑な機能、たとえば受信される画像データの転送、同報、後述する印刷装置５１によって出力できない場合における画像データの受信および保存、メモリ送信などが可能となる。
【００７８】
印刷装置５１は、本体制御部２１、画像読取装置５２および画像記憶装置５３に接続される。印刷装置５１は、受信した情報または読取られた画像などを印刷する手段である。印刷装置５１は、たとえばサーマル方式、電子写真方式およびインクジェット方式などによって実現される。印刷装置５１は、画像読取装置５２によって読取られた画像データおよび画像記憶装置５３に記憶された画像データを取得し、印刷することができる。
【００７９】
また装置本体２０は、図２に示すような入力手段である本体入力部２９および着脱部５４を有する。本体入力部２９は、本体制御部２１に通信可能に接続されている。本体入力部２９は、本体操作キー２９ａおよび入力手段である解除キー２９ｂを有する。本体操作キー２９ａは、利用者が装置本体２０における各構成部の動作の決定および指令などの情報を入力するために用いられる。解除キー２９ｂは、ロック手段４２が表示操作ユニット３０の装置本体２０からの離脱を阻止する場合、表示操作ユニット３０を装置本体２０から離脱可能にするために用いられる。利用者が解除キー２９ｂを操作すると、本体制御部２１に解除キー２９ｂが操作されたことを示す解除指令情報が送信される。
【００８０】
着脱部５４は、表示操作ユニット３０を位置決めされた位置に着脱可能に装着することができる。また着脱部５４の一側面５５に本体接続部２７が設けられ、表示操作ユニット３０に設けられる後述するユニット接続部３３と接触などして、有線通信および表示操作ユニット３０への電力供給が可能になる。
【００８１】
表示操作ユニット３０は、ユニット制御部３１、ユニット記憶部３２、ユニット接続部３３、ユニット無線通信部３４、充電回路３５、バッテリ保持部３６、充電量検出部３７、ユニット入力部３８および表示部３９を含んで構成される。
【００８２】
ユニット制御部３１は、ユニット記憶部３２、ユニット接続部３３、ユニット無線通信部３４、充電量検出部３７、ユニット入力部３８および表示部３９に接続される。ユニット制御部３１は、たとえばＣＰＵなどの演算処理装置で実現され、ユニット記憶部３２に記憶されているプログラムを実行することで、表示操作ユニット３０の各種構成部を統括的に制御する。またユニット制御部３１は、各種構成部から情報を取得し、伝送することができる。
【００８３】
ユニット記憶部３２は、ユニット制御部３１に接続される。ユニット記憶部３２は、たとえばＲＡＭなどの揮発性メモリ、ＲＯＭなどの不揮発性メモリおよびＨＤＤなどの磁気記憶装置で実現される。またユニット記憶部３２は、ユニット制御部３１が表示操作ユニット３０の各種構成部を統括的に制御するためのプログラムを記憶し、ユニット制御部３１が表示操作ユニットの各種構成部制御するときの制御命令を一時的に記憶し、受信した各種情報および各種要求を記憶する。
【００８４】
ユニット接続部３３は、ユニット制御部３１および充電回路３５に接続される。ユニット接続部３３は、表示操作ユニット３０が装置本体２０に装着される状態で、前述のように本体接続部２７と通信可能に接続され、本体接続部２７と協働して装置本体２０と表示操作ユニット３０との有線通信を可能にする手段を含む。また装置本体２０がＡＣアダプタによって電力を取得する場合、ユニット接続部３３は、表示操作ユニット３０が装置本体２０に装着されている状態で、前述のように本体接続部２７を介して電力を取得し、表示操作ユニット３０の各種構成部に送電する。
【００８５】
またユニット接続部３３は、装置本体２０から表示操作ユニット３０への電力の供給状態を検出する供給状態検出手段を有する。供給状態検出手段は、たとえば電力計を用いてユニット接続部３３が取得する電力を測定することによって、電力の供給状態を検出することを実現できる。さらにユニット接続部３３は、少なくとも表示操作ユニット３０が装置本体２０に装着される場合において、供給状態を有線通信および無線通信のいずれか一方を介して、本体制御部２１に送信する。本実施の形態では、供給状態検出手段は、ユニット接続部３３に含まれるが、本体接続部２７に含まれていてもよく、装置本体２０および表示操作ユニット３０において少なくとも１つの電力が供給される構成部に含まれていればよい。
【００８６】
ユニット無線通信部３４は、ユニット制御部３１に接続される。ユニット無線通信部３４は、本体接続部２７とユニット接続部３３とが非通信状態にある場合に、前述のように本体無線通信部２８と協働して装置本体２０と表示操作ユニット３０との無線通信を可能にする手段を含む。これによってユニット無線通信部３４は、表示操作ユニット３０が装置本体２０から離脱される場合であっても、本体無線通信部２８と協働して無線通信することができる。
【００８７】
このような無線通信の無線通信方式は、たとえばピアフ（ＰＨＦ  Internet Access 
Forum Standard；略称：ＰＩＡＦＳ）およびブルートゥース（Bluetooth登録商標）などの方式とする。ＰＩＡＦＳの通信速度は２９.２ｋｂｐｓ程度であり、Bluetoothの通信速度は１Ｍｂｐｓ程度である。
【００８８】
充電回路３５は、ユニット接続部３３およびバッテリ保持部３６に接続される。充電回路３５は、ユニット接続部３３から送電される電力をバッテリ保持部３６に送電するための送電路である。バッテリ保持部３６は、充電回路３５および充電量検出部３７に接続される。バッテリ保持部３６は、充電可能な充電池であるバッテリ３６ａを着脱可能に保持することができる。バッテリ保持部３６がバッテリ３６ａを保持すると、バッテリ保持部３６とバッテリ３６ａとは、電気的に接続される。バッテリ３６ａは、表示操作ユニット３０が装置本体２０から離脱すると表示操作ユニット３０を駆動するために表示操作ユニット３０に含まれる各種構成部に電力を供給する。
【００８９】
充電量検出部３７は、ユニット制御部３１およびバッテリ保持部３６に接続される。充電量検出手段である充電量検出部３７は、バッテリ３６ａがバッテリ保持部３６に保持されている場合、バッテリ３６ａの充電量を検出することができる。また充電量検出部３７は、前記検出された充電量をユニット制御部３１に与える。
【００９０】
ユニット入力部３８は、ユニット制御部３１に接続される。また入力部３８は、ユニット操作キー３８ａおよびダイヤルキー３８ｂを含み、利用者が情報を入力するために用いられる。ユニット操作キー３８ａには、たとえば受信開始ボタンおよび送信ボタンを設け、受信開始ボタンおよび送信ボタンを操作することによって画像データなどの情報の送受信することができ、情報の送受信の操作を容易にする。またダイヤルキー３８ｂは、主に電話機能およびファクシミリ機能において用いられ、利用者の操作によって、通信先の電話装置およびファクシミリ装置の電話番号が入力される。
【００９１】
表示部３２は、ユニット制御部３１に接続される。表示部３２は、たとえば液晶表示装置（Liquid Crystal Display；略称：ＬＣＤ）等の表示装置で実現される。表示部３２は、画像記憶装置５３に記憶されている画像およびユニット記憶部に記憶される情報などを表示することができる。表示部３９は、各種の画像および情報を表示することができるので、表示部２９に示される情報などを参照しながら、ユニット入力部３８を用いてファクシミリ装置１０の各種パラメータを設定することも可能となる。たとえば画像読取装置５２によって読取って画像記憶装置５３に記憶された画像を印刷する場合、記憶された画像を表示部３２に表示し、表示される画像を参照しながら、ユニット入力部３８を用いて利用者の印刷したい画像を指定することが可能になる。
【００９２】
表示操作ユニット３０に含まれる充電量検出部３７は、バッテリ保持部３６に保持されるバッテリ３６ａの充電量を検出する。検出された充電量は、表示操作ユニット３０が装置本体２０に装着される状態で、有線通信および無線通信のいずれか一方によって装置本体２０に含まれる本体制御部２１に送信される。本体制御部２１は、前記充電量を着脱制御部４１に送信する。また着脱制御部４１は、バッテリ３６ａの充電量が離脱阻止基準量未満であれば、要ロック条件を充足すると、バッテリ３６ａの充電量が離脱許容基準量以上であれば、ロック解除条件を充足すると判定する。これによって本体制御部２１から送信される前記充電量が離脱阻止基準量未満であれば、着脱制御部４１は、要ロック条件を充足すると判定し、ロック手段４２を阻止状態に制御する。また本体制御部２１から送信される充電量が離脱許容基準量以上であれば、着脱制御部４１は、ロック解除条件を充足すると判定し、ロック手段４２を許容状態に制御する。また着脱制御部４１は、状態検出手段によってロック手段４２の状態を検出し、検出された状態を示す情報を利用者にロック手段４２の状態を報知するための報知手段に送信する。報知手段は、検出されたロック手段４２の状態を示す情報に基づいて、利用者にロック手段４２の状態を報知する。
【００９３】
離脱阻止基準量は、予め定めることができ、要ロック条件を充足するか否かを判定する場合に用いられるしきい値である。たとえば離脱阻止基準量を、表示操作ユニット３０が装置本体２０から離脱しても、少なくとも報知動作をし、利用者が駆動停止操作を行うことができる時間において表示操作ユニット３０の駆動が可能な程度に電力が供給可能な充電量とすると、表示操作ユニット３０が離脱して報知動作もなく駆動が停止することを防ぐことができる。これによって急な駆動停止にともなうデータの損失を防ぐことができる。離脱許容基準量は、予め定めることができ、ロック解除条件を充足するか否かを判定する場合に用いられるしきい値である。
【００９４】
報知手段は、装置本体２０および表示操作ユニット３０に含まれる構成部のうち少なくとも１つに含まれる。報知手段による報知には、表示、音および振動などが含まれ、これらの少なくとも１つを含む。報知に含まれる表示には、電気的および機械的な記号、文字および図柄などのキャラクタの表示ならびに報知光の発信がある。電気的および機械的なキャラクタの表示は、たとえば表示部３９にキャラクタを表示することによって実現できる。また報知光の発信は、たとえば発光ダイオード（Light Emitting Diode；略称：ＬＥＤ）を装置本体２０などに設けることによって実現できる。これによって表示部３９および装置本体２０などによってロック手段４２の状態を報知することができる。報知に含まれる音とは、送受話機２５および子機６０に含まれるスピーカ（図示せず）によって実現することができる。これによってスピーカを介して音を鳴らし、ロック手段の状態を報知することができる。また報知に含まれる振動は、振動モータを設けることによって実現することができ、装置本体２０などが振動することによってロック手段４２の状態を報知することができる。
【００９５】
さらに報知手段は、ロック手段４２の状態が阻止状態から許容状態または許容状態から阻止状態に切換ったことを報知する。報知手段は、着脱制御部４１から送信される情報に基づいて、ロック手段４２の状態が切換ったことを認識すると、ロック手段４２の状態が切換ったことを報知する。
【００９６】
また着脱制御部２１は、表示操作ユニット３０が装置本体２０に装着され、かつ表示操作ユニット３０と装置本体２０との間で相互に通信する場合、要ロック条件を充足すると判定する。これによって表示操作ユニット３０が装置本体２０に装着され、相互に通信する場合、着脱制御部４１は、要ロック条件を充足すると判定し、ロック手段４２を阻止状態にし、表示操作ユニット３０の離脱が阻止される。したがって通話中に表示操作ユニット３０が装置本体２０から離脱することができなくなるので、通信が途切れて情報が損傷することを防ぐことができる。
【００９７】
着脱制御部４１は、解除キー２９ｂの操作によって解除指令が入力されると、ロック解除条件を充足すると判定する。また着脱制御部４１は、要ロック条件およびロック解除条件の両方を充足する場合、ロック解除条件を充足すると判定する。これによってロック手段４２が阻止状態であっても、利用者が解除キー２９ｂを操作すると、着脱制御部４１は、ロック解除条件を充足すると判定し、ロック手段４２を許容状態に制御する。したがって、バッテリ３６ａの充電量が離脱許容基準量未満であっても、装置本体２０を表示操作ユニット３０から離脱させることができる。
【００９８】
着脱制御部４１は、供給状態検出手段によって表示操作ユニット３０への電力供給が停止されたことを検出されると、ロック解除条件を充足すると判定する。これによって着脱制御部４１は、停電などの電力が供給されない状態であっても表示操作ユニット３０を装置本体２０から離脱させることができるように、ロック手段４２を許容状態に制御することが実現できる。
【００９９】
図３は、着脱制御部４１およびロック手段４２の具体的な構成の一例を示す図である。着脱制御部４１は、第１導電路４３、コイル４４、トランジスタ４５、第２導電路４６およびスイッチ部４７を含んで構成される。
【０１００】
第１導電路４３は、たとえば銅線などの導電材料によって形成され、一端が直流（
Direct Current；略称：ＤＣ）入力部４３ａと電気的に接続されており、他端が接地部４３ａに接続される。また第１導電路４３は、中途部分にコイル４４およびトランジスタ４５が介在している。ＤＣ入力部４３ａは、ＡＣアダプタに電気的に接続され、ＡＣアダプタから電力を取得し、第１導電路４３に送電する。また接地部４３ｂは、面積の大きな導電体に接続され、接地電位を与える。
【０１０１】
コイル４４は、導電材料によって形成され、コイル４４に電流が作用すると、磁力が生じる。またコイル４４は、スイッチ部４７に含まれるスイッチ４７ａとともに継電器を構成する。継電器は、電磁リレーを用いたスイッチであって、コイル４４に電流が作用すると、コイル４４から磁力が生じてスイッチ７ａが閉じ、コイル４４に電流が作用しないと、スイッチ４７ａが開く。
【０１０２】
トランジスタ４４は、エヌピーエス（ＮＰＮ）形のバイポーラトランジスタであり、シリコントランジスタによって実現できる。トランジスタ４４は、コレクタ４５ａ、ベース４５ｂおよびエミッタ４５ｃを有する。コレクタ４５ａは、第１導電路４３を介してＤＣ入力部４３ａに電気的に接続される。ベース４５ｂは、第２導電路４６の一端に接続される。エミッタ４５ｃは、第１導電路４３を介して接地部４３ｂに接続される。
【０１０３】
第２導電路４６は、前述のように一端がトランジスタ４５のベース４５ｂに接続される。また第２導電路４６の他端は、本体制御部２１に接続される。第２導電路４６は、本体制御部２１から与えられる電気信号をベース４５ｂに送電する。
【０１０４】
スイッチ部４７は、前述のようにスイッチ４７ａを含む。スイッチ部４７は、後述するロック手段４２に含まれるロック制御部４９に電気的に接続されている。スイッチ部４７は、スイッチ４７ａの開閉状態を示す情報をロック制御部４９に与える。
ロック手段４２は、ロック部４８、ロック制御部４９を含んで構成される。
【０１０５】
ロック部４８は、表示操作ユニット３０が装置本体２０から離脱することを阻止するために用いられる手段である。ロック部４８は、基端部５６において装置本体２０の機体に角変位可能に設けられ、阻止状態と許容状態とに角変位して切換える。ロック部４８の遊端部５７には、鉤状突起部５８が形成される。表示操作ユニット３０には係合突起部３０ａが装置本体２０に装着時に、ロック手段４２に臨むように形成されており、鉤状突起部５８が係合突起部３０ａに装置本体２０の反対側から係合して、表示操作ユニット３０が離反することを阻止する。また許容状態では、係合を解除して表示操作ユニット３０の離脱を可能にする。このようにしてロック手段４２の阻止状態と許容状態の切換えを可能にする。
【０１０６】
ロック制御部４９は、スイッチ部４７に接続される。ロック制御部４９は、前述のようにスイッチ部４７からスイッチ４７ａの開閉状態の情報を取得し、スイッチ４７ａの開閉状態の情報に基づいてロック部４８の状態を切換える。スイッチ４７ａが閉じると、ロック制御部４９は、ロック部４８を阻止状態に切換える。またスイッチ４７ａが開くと、ロック制御部４９は、ロック部４８を許容状態に切換える。
【０１０７】
第１導電路４３は、トランジスタ４５が介在するので、第２導電路４６からの電気信号によってベース４５ｂに正の電圧が印加する場合、第１導電路４３において、電流が流れ、第１導電路４３に介在するコイル４４が磁力を生じ、スイッチ４７ｂを閉じる。また第２導電路４６からの電気信号によってベース４５ｂに負の電圧が印加するかまたは電圧が印加しない場合、第１導電路４３において、電流が流れず、スイッチ４７ｂが開く。スイッチ４７ｂの開閉状態の情報は、スイッチ部４７からロック制御部４９に送信され、この情報に基づいてロック部４８を阻止状態および許容状態のうちいずれか一方の状態に切換える。
【０１０８】
これによってＤＣ入力部４３ａに電力が供給される場合、本体制御部２１から第２導電路４６を介して、ベース４５ｂに正の電圧に印加された電気信号を送信すると、第１導電路４３に電流が流れ、スイッチ４７ｂが閉じられる。これによってロック部４８は、阻止状態に制御され、表示操作ユニット３０の装置本体２０の離脱を阻止する。
【０１０９】
また本体制御部２１から第２導電路４６を介して、ベース４５ｂに負の電圧に印加されたまたは電圧が０の電気信号が送信される場合、およびＤＣ入力部４３ａに電力が供給されない、たとえば停電によって電力が供給されない場合、第１導電路４３には電流が流れず、スイッチ４７ａが開かれる。これによってロック部４８は、許容状態に制御され、表示操作ユニット３０が離脱可能になる。
【０１１０】
このようにして着脱制御部４１は、第１導電路４３に電流が流れる場合、要ロック条件を充足すると判定し、ロック部４８を阻止状態にするように制御し、第１導電路４３に電気が流れない場合、ロック解除条件を充足すると判定し、ロック部４８を許容状態にするように制御する。
【０１１１】
図４は、充電部７０の電気的な構成を示す電気回路図である。充電部７０は、表示操作ユニット３０に含まれ、充電回路３５、バッテリ保持部３６および充電量検出部３７を含んで構成される。
【０１１２】
充電部７０は、バッテリ保持部３６、充電部ＤＣ入力部７１、保護ダイオード７２、第１抵抗素子７３ａ、第２抵抗素子７３ｂ、第３抵抗素子７３ｃ、第４抵抗素子７５ｄ、コンデンサ７４、ツェナーダイオード７５およびコンパレータ７６を含んで構成される。
【０１１３】
充電部ＤＣ入力部７１は、ユニット接続部３３と電気的に接続され、装置本体２０から送電される電力をユニット接続部３３を介して取得する。充電部ＤＣ入力部７１は、正極ＤＣ入力部７１ａおよび負極ＤＣ入力部７１ｂを有する。正極ＤＣ入力部７１ａは、負極ＤＣ入力部７１ｂより高い電位を有する。また第１〜第４抵抗素子は、所定の抵抗値を有する抵抗体であり、コンデンサは、入力される電力のノイズを除去するために用いられる。
【０１１４】
保護ダイオード７２は、順方向にだけ電流を流し、順方向とは異なる逆方向には電流を流さない性質を有する。またツェナーダイオード７５は、順方向においては、保護ダイオードと同様に電流を流し、逆方向においては、所定の電圧が印加するまで電流を流さず、所定の電圧が印加すると逆方向に電流を流し、電圧を一定に保つ性質を有する。
【０１１５】
コンパレータ７６は、２つの入力信号を入力することができ、電気信号を出力する。コンパレータ７６は、２つの入力された信号の電圧の大小を比較し、電圧の大小に従って出力する電気信号の電圧を設定し、前記電気信号を出力する。コンパレータ７６は、正相入力端子９１、逆相入力端子９２、電源端子９３および出力端子９４を有する。正相入力端子９１および逆相入力端子９２には、比較する２つの入力信号を入力するための端子である。電源端子９３は、正電源端子９３ａおよび負電源端子９３ｂを有する。正電源端子９３ａおよび負電源端子９３ｂは、コンパレータ７６が動作するための電力をコンパレータ７６に供給するための端子である。正電源端子９３ａに正の直流電圧が、負電源端子９３ｂに接地電位が与えられる出力端子９４は、電気信号を出力するための端子である。
【０１１６】
さらに充電部７０は、充電部第１導電路８1、充電部第２導電路８２、充電部第３導電路８３、充電部第4導電部８４、充電部第５導電路８５、充電部第６導電路８６、充電部第７導電路８７および充電部第８導電部８８を有する。充電部第１導電路８1〜充電部第６導電路８６は、銅線などの導電材料によって形成される。
【０１１７】
充電部第１導電路８１は、一端部が正極ＤＣ入力部７１ａに接続され、充電部第２導電路８２は、一端が負極ＤＣ入力部７１ｂに接続される。また充電部第１導電路８１および充電部第２導電路８２は、平行するように設けられ、充電部ＤＣ入力部７１から送電される電力およびバッテリ保持部３６に保持されるバッテリ３６ａに蓄えられる電力を表示操作ユニット３０に含まれる各構成部に送電するために、各構成部と電気的に接続される。また充電部第２導電路８２は、接地され、接地電位が与えられる。
【０１１８】
充電部第３導電路８３、バッテリ保持部３６、充電部第４導電路８４、充電部第５導電路８５およびコンパレータ７６は、充電部第１導電路８１と充電部第２導電路８２との間において、充電部ＤＣ入力部７１寄りから充電部第３導電路８３、バッテリ保持部３６、充電部第４導電路８４、充電部第５導電路８５、コンパレータ７６の順に並列するように接続されている。また充電部第１導電路８１において、充電部第３導電路８３と接続される接続部９５と、バッテリ保持部と接続される接続部９６との間に、正極ＤＣ入力部７１ａ寄りから順に保護ダイオード７２および第１抵抗素子７３ａが介在する。また保護ダイオード７２は、充電部ＤＣ入力部７１から電力が送電されると電流を通過させ、バッテリ３６ａが保持される場合に、充電部ＤＣ入力部７１にバッテリ３６ａからの電力が送電されないように接続される。これによってバッテリ３６ａに充電されている電力が充電部ＤＣ入力部７１を介して、装置本体２０に電力が送電されることを防ぐことができる。
【０１１９】
充電部第３導電路８３は、中途部分にコンデンサ７４が介在する。これによって充電部ＤＣ入力部７１から送電される電力のノイズを軽減する。バッテリ保持部３６は、バッテリ３６ａを保持すると、バッテリ３６ａの正極が充電部第１導電路８１に電気的に接続され、バッテリ３６ａの負極が充電部第２導電路８２に電気的に接続されるように構成される。これによって表示操作ユニット３０の各構成部にバッテリ３６ａの電力を供給することができる。
【０１２０】
充電部第４導電路８４は、中途部分に充電部第１導電路８１寄りから順に、第２抵抗素子７３ｂおよびツェナーダイオード７５が介在する。ツェナーダイオード７５は、充電部第４導電路８４において充電部第１導電路８１から充電部第２導電路８２へ流れる電流が逆方向となるように接続される。充電部第５導電路８５は、中途部分に充電部第１導電路８１寄りから順に、第３抵抗素子７３ｃおよび第４抵抗素子７３ｄが介在する。
【０１２１】
コンパレータ７６は、正電源端子９３ａを充電部第１導電路８１に接続し、負電源端子９３ｂを充電部第２導電路８２に接続する。コンパレータ７６における正相入力端子９１は、充電部第４導電路８４において第２抵抗素子７３ｂとツェナーダイオード７５との間に接続される。逆相入力端子９２は、充電部第５導電路８５において第３抵抗素子７３ｃと第４抵抗素子７３ｄとの間に接続される。さらにコンパレータ７６の出力端子９４は、充電部第６導電路８６に接続される。
【０１２２】
充電部第６導電路８６は、一端が出力端子９４に接続され、他端がユニット制御部３１に接続される。これによって表示操作ユニット３０が装置本体２０に装着される場合、コンパレータ７６から出力される電気信号は、ユニット制御部３１を介して着脱制御部４１に与えられる。
【０１２３】
本実施形態によれば、充電部７０において、バッテリ保持部３６にバッテリ３６ａが保持されると、充電部ＤＣ入力部７１に与えられる電力は、充電部第１導電路８１における保護ダイオード７２を通過して、バッテリ保持部３６に送電され、バッテリ３６ａを充電する。コンデンサ７４は、充電部ＤＣ入力部７１から送電される電力のノイズを軽減するために用いられる。また充電部７０は、バッテリ３６ａに電力が蓄えられている場合、保護ダイオード７２および第１抵抗素子７３ａを用いてバッテリ３６ａから供給される電力が充電部ＤＣ入力部７１に送電されないように構成されている。
【０１２４】
また本実施形態によれば、充電部７０において、充電部ＤＣ入力部７１に電力が送電され、バッテリ３６ａがバッテリ保持部３６に保持されている場合、充電部ＤＣ入力部７１およびバッテリ３６ａ少なくとも一方から充電部第１導電路８１および充電部第２導電路８２に電力が送電され、充電部第１導電路８１と充電部第２導電路８２との間に電位差が生じる。これによって充電部第１導電路８１と充電部第２導電路８２の間で並列に接続される充電部第４導電路８４、充電部第５導電路８５およびコンパレータ７６における充電部第１導電路８１および充電部第２導電路８２に接続される各接続部の間に電圧が生じる。
【０１２５】
正相入力端子９１における電圧値を正相入力電圧値Ｖ１とする。負相入力端子９２における電圧値を負相入力の電圧値Ｖ２とする。充電部第４導電路８４において、ツェナーダイオード７５が介在しているので、充電部第４導電路８４の充電部第１導電路８１と充電部第２導電路部８２との接続部間で前記所定の電圧以上の電圧が印加されると、コンパレータ７６の正相入力端子９１での正相入力電圧値Ｖ１は、電流の大きさにかかわらず、一定値となる。また充電部第５導電路８５において、第３抵抗素子７３ｃおよび第４抵抗素子７３ｄが介在するので、コンパレータ７６の負相入力端子９２での電圧は、充電部第５導電路８５の充電部第１導電路８１と充電部第２導電路８２との接続部間に生じる電圧と、第３抵抗素子７３ｃおよび第４抵抗素子７３ｄの各抵抗値によって決定される。したがって、バッテリ３６ａの充電量が増すと充電部第５導電路８５の前記接続部門に印加する電圧が大きくなるので、負相入力電圧値Ｖ２は、大きくなる。
【０１２６】
またコンパレータ７６において、正電源端子９３ａの電圧値を正電源電圧値ＶＣＣ、負電源端子９３ｂの電圧値を負電源電圧値ＶＥＥとする。
【０１２７】
コンパレータ７６は、正相入力端子９１から入力される正相入力電圧Ｖ１と負相入力端子９２から入力される負相入力電圧Ｖ２との大きさを比較し、正相入力電圧値Ｖ１が負相入力電圧Ｖ２より大きい場合、出力端子９４から正電源電圧値ＶＣＣに印加される電気信号が出力され、正相入力電圧値Ｖ１が負相入力電圧値Ｖ２より小さい場合、出力端子９４から負電源電圧値ＶＥＥに印加される電気信号が出力される。
【０１２８】
正相入力電圧値Ｖ１は、ツェナーダイオード７５の電圧が一定値となるような所定の電圧が充電部第４導電路８４の前記接続部間に生じると一定値となる。また負相入力電圧値Ｖ２は、バッテリ３６ａの充電量が増すと大きくなる。これによって充電部第４導電路８４の間に所定の電圧値以上の電圧を作用させると、コンパレータ７６は、充電量が負相入力端子９２に正相入力電圧値Ｖ１未満の電圧を生じさせることができる充電量、すなわち離脱阻止基準量未満であるとき、正電源電圧値ＶＣＣに印加される電気信号を出力端子９４から出力する。またコンパレータ７６は、充電量が負相入力端子９２に正相入力電圧値Ｖ１以上の電圧を生じさせることができる量、すなわち離脱許容基準量以上であるとき、負電源電圧値ＶＥＥに印加される電気信号が出力端子９４から出力する。
【０１２９】
前述のようにロック手段４２の状態は、着脱制御部４１に含まれる第２導電路４６に送信される電気信号によって制御することができるので、出力される電気信号を、ユニット接続部３３および本体接続部２７を介して着脱制御部４１に送信すると、前記電気信号によってロック手段４２の状態を制御することができる。
【０１３０】
また負相入力端子９２における負相入力電圧値Ｖ２は、バッテリ３６ａの充電量が同じであっても、第３抵抗素子７３ｃおよび第４抵抗素子７３ｄを異なる抵抗値の抵抗素子に入れ換えることによって、負相入力電圧Ｖ２を任意の電圧値に設定可能であるので、離脱阻止基準量および離脱許容基準量は任意の充電量に設定可能である。また第３抵抗素子７３ｃおよび第４抵抗素子７４ｃを可変抵抗にして、ユニット制御部３１によって可変抵抗の抵抗値を制御するようにしてもよい。この場合、利用者に表示部３９およびユニット操作キー３８ａを用いて可変抵抗体の抵抗値を入力させ、その抵抗値の情報をユニット制御部３１に送信して、第３抵抗素子および第４抵抗素子の抵抗値を制御する。これによって表示部３９およびユニット操作キーを用いて、離脱素子基準量および離脱許容基準量を設定することが可能となる。
【０１３１】
このようにして、バッテリ３６ａの充電とバッテリ３６ａの充電量の検出とバッテリ３６ａの充電量に基づくロック手段４２の制御とが実現される。
【０１３２】
また充電部７０において、充電部ＤＣ入力部７１から電力が送電されない場合、コンパレータ７６は、出力端子９４から電気信号を出力せず、電気信号を着脱制御部４１に送信しない。またバッテリ保持部３６にバッテリ３６aが保持される場合であっても、ツェナーダイオード７６によって正相入力端子９１に電圧が生じないようにすると、正相入力電圧値Ｖ１より負相入力電圧値Ｖ２が大きくなるので、コンパレータ７６は、出力端子９４から負電源電圧値ＶＥＥに印加される電気信号を着脱制御部４１に送信する。これによって充電部７０は、充電部ＤＣ入力部７１から電力が送電されないこと、すなわち装置本体２０から表示操作ユニット３０への電力の供給が停止したことを検出し、供給が停止したことを検出すると、ロック手段４２を阻止状態に制御することができる。このように充電部７０によって供給状態検出手段および供給状態検出手段によって検出された状態に基づいてロック手段４２を制御することを実現することができる。
【０１３３】
図５は、本発明の実施の他の形態のファクシミリ装置１０Ａの主要な構成を示すブロック図である。図６は、ファクシミリ装置１０Ａの具体的な形態を示す斜視図である。ファクシミリ装置１０Ａは、前述の実施の形態のファクシミリ装置１０と同様の機能を備える。ファクシミリ装置１０Ａは、装置本体２０Ａと、前記装置本体２０Ａに着脱可能な表示操作ユニット３０Ａとを備える。
【０１３４】
装置本体２０Ａは、本体制御部２１、記憶部２２、網制御部２３、モデム２４、送受話機２５、カールコード２５ａ、コードレス通信制御部２６、アンテナ２６ａ、本体接続部２７、本体入力部２９、画像読取装置５２、画像記憶装置５３および印刷装置５１を含んで構成される。本体制御部２１、記憶部２２、網制御部２３、モデム２４、送受話機２５、カールコード２５ａコードレス通信制御部２６、アンテナ２６ａ、本体接続部２７、画像読取装置５２、画像記憶装置５３および印刷装置５１は、前述の実施の形態のファクシミリ装置１０の装置本体２０の各構成部と同様であるので、同一の参照符号を付して、詳細な説明は省略する。
【０１３５】
本体入力部２９は、本体入力キー２９ｃと本体ダイヤルキー２９ｄを含む。本体入力キー２９ｃは、本体操作キー２９ａおよび解除キー２９ｂを含む。本体操作キー２９ａおよび解除指令キー２９ｂは、前述の実施の形態のファクシミリ装置１０の装置本体２０に含まれる各構成部と同様であるので、同一の参照符号を付して、詳細な説明を省略する。本体ダイヤルキー２９ｄは、前述の実施の形態のファクシミリ装置１０の表示操作ユニット３０のダイヤルキー３８ｂと同様であるので、詳細な説明は省略する。
【０１３６】
表示操作ユニット３０Ａは、ユニット制御部３１、表示部３９、ユニット操作キー３８ａ、ユニット接続部３３、充電回路３５、バッテリ保持部３６、充電量検出部３７、着脱制御部４１およびロック手段４２を含んで構成される。ユニット制御部３１、表示部３９、ユニット操作キー３８ａ、ユニット接続部３３、充電回路３５、バッテリ保持部３６、充電量検出部３７、着脱制御部４１およびロック手段４２は、上述の実施の形態のファクシミリ装置１０の表示操作ユニット３０の各構成部と同様であるので、同一の参照符号を付して、詳細な説明は省略する。
【０１３７】
着脱制御部４１は、充電量検出部３７に接続される。またロック手段４２は、前述のファクシミリ装置１０と同様で、着脱制御部４１に接続される。これによって表示操作ユニット３０Ａは、充電量検出部３７から検出される充電量を受信し、この充電量に基づいて、ロック手段４２の阻止状態および許容状態のうちいずれか一方の状態に制御することができる。したがって本実施の形態のファクシミリ装置１０Ａは、前述の実施の形態のファクシミリ装置１０と同様の作用効果を達成することができる。
【０１３８】
本実施の形態のファクシミリ装置１０Ａにおいて、本体接続部２７およびユニット接続部３３は、表示操作ユニット３０Ａを装置本体２０Ａに装着すると、表示操作ユニット３０Ａと装置本体２０Ａとを有線通信によって通信可能にする。また本体接続部２７およびユニット接続部３３は、表示操作ユニット３０Ａが装置本体２０Ａから離脱すると、表示操作ユニット３０Ａと装置本体２０Ａとの通信を停止する。有線通信によって通信中に表示操作ユニット３０Ａが装置本体２０Ａから離脱すると通信が停止し、通話中のデータなどが損傷する。これを防ぐためにユニット制御部３１は、有線通信によって通信中であることを電気信号を用いて着脱制御部４１に送信し、着脱制御部４１に送信し、着脱制御部４１によってロック手段４２を阻止状態に制御し、通信中に表示操作ユニット３０Ａが装置本体２０Ａから離脱することを阻止する。
【０１３９】
本実施の形態のファクシミリ装置１０ａにおいて、ユニット操作キー３８ａをタッチパネルとして、表示部３９と一体にしてもよい。この場合、たとえばユニット操作キー３８ａを装置本体２０Ａのダイヤルキー２９と同様の機能を持たせるなど、入力操作の自由度が向上するとともに、入力操作が容易にすることができる。
【０１４０】
前述のファクシミリ装置１０は、装置本体２０に有線通信によって通信する手段を本体接続部２７に含み、表示操作ユニット３０、３０Ａに有線通信によって通信する手段をユニット接続部３５に含む構成としたが、これら有線通信によって通信する手段を本体接続部２７およびユニット接続部３５に含まない構成として、無線通信によってのみ通信可能としてもよい。これによってファクシミリ装置１０の構成を簡素にすることができ、表示操作ユニット３０を装置本体２０に装着したときの配置の自由度を有線通信で通信するときより高くすることができる。
【０１４１】
また前述するファクシミリ装置１０、１０Ａは、表示操作ユニット３０、３０Ａの着脱部５４に装着することによってバッテリ３６ａを充電するが、ファクシミリ装置１０、１０Ａに装置本体２０、２０Ａの着脱部５４とは異なる表示操作ユニット３０、３０Ａを着脱可能な充電専用台（図示せず）を設けて、表示操作ユニット３０、３０Ａを充電するようにしてもよい。この場合、充電専用台は、表示操作ユニット３０、３０Ａのバッテリ３６ａに電力を供給する供給手段および電力を取得する電力取得手段を有する。電力取得手段は、専用充電台を装置本体２０、２０Ａに電気的に接続可能にして、装置本体２０、２０Ａから電力を取得するようにしてもよいし、専用充電台にＡＣアダプタなどが接続できるようにして、ＡＣアダプタを介して電力を取得するようにしてもよい。
【０１４２】
本発明の実施の一形態としてファクシミリ装置１０を示したが、被装着台および被装着台に着脱可能な可搬ユニットを有する電子装置であればよく、本発明は、たとえばパーソナルコンピュータおよび通信プロトコル変換装置のような情報処理装置に適用することができる。この場合、パーソナルコンピュータにおいて、パーソナルコンピュータ本体およびパーソナルコンピュータ本体に着脱可能な操作表示部を設けることによって実現することができる。
【図面の簡単な説明】
【０１４３】
【図１】本発明の実施の一形態のファクシミリ装置１０の主要な構成を示すブロック図である。
【図２】ファクシミリ装置１０の具体的な形態を示す斜視図である。
【図３】着脱制御部４１およびロック手段４２の具体的な構成の一例を示す図である。
【図４】充電部７０の電気的な構成を示す電気回路図である。
【図５】本発明の実施の他の形態のファクシミリ装置１０Ａの主要な構成を示すブロック図である。
【図６】ファクシミリ装置１０Ａの具体的な形態を示す斜視図である。
【符号の説明】
【０１４４】
１０  ファクシミリ装置
２０  装置本体
２５  送受話機
２７  本体接続部
２８  本体無線通信部
２９  本体入力部
３０  表示操作ユニット
３３  ユニット接続部
３４  ユニット無線通信部
３５  充電回路
３６  バッテリ
３７  充電量検出部
３９  表示部
４１  着脱制御部
４２  ロック手段
６０  子機
７０  充電部
７６  コンパレータ
【図１】
2005039631.tif 000003
【図２】
2005039631.tif 000004
【図３】
2005039631.tif 000005
【図４】
2005039631.tif 000006
【図５】
2005039631.tif 000007
【図６】
2005039631.tif 000008